(57)【要約】      （修正有）【課題】スポーツ用品の技術分野に関し、製造コストが低下し、技術的柔軟性が高まるトレッドミル用マッサージ滑り止め板の成形方法及びその成形装置を提供する。【解決手段】トレッドミル用マッサージ滑り止め板１００の成形方法は、複数の空洞２１が設けられる金型２が設置され、耐摩耗材料１が金型２の空洞２１内に注入される工程１と、プレート３が金型２中に設置され、耐摩耗材料１がプレート３の表面に結合され、複数のマッサージ凸状体３１が形成される工程２と、プレート３が金型２から脱型され、プレート３の表面にマッサージ凸状体３１を有するマッサージ滑り止め板が形成される工程３とを備え、金型２内にまずマッサージ凸状体３１を有する耐摩耗層が設けられ、プレート３が金型２に設置されて耐摩耗層に結合され、結合後にプレート３の表面に立体状のマッサージ凸状体３１が設けられる。【選択図】図３
2018175874.tif 000002
【特許請求の範囲】
【請求項１】
複数の空洞が設けられる金型が設置され、耐摩耗材料が前記金型の空洞内に注入される工程１と、
プレートが前記金型中に設置され、前記耐摩耗材料が前記プレートの表面に結合され、複数のマッサージ凸状体が形成される工程２と、
前記プレートが前記金型から脱型され、前記プレートの表面にマッサージ凸状体を有するマッサージ滑り止め板が形成される工程３と、を含むことを特徴とするトレッドミル用マッサージ滑り止め板の成形方法。
【請求項２】
前記工程２の後に、加硫定型の硫化処理または自然冷却を経て定型されることを特徴とする請求項１に記載のトレッドミル用マッサージ滑り止め板の成形方法。
【請求項３】
前記プレートには複数の注入孔が設けられ、これら注入孔の位置は前記金型のこれら空洞に対応させ、前記耐摩耗材料がこれら注入孔から前記空洞内に注入され、前記プレートに複数のマッサージ凸状体構造が形成されることを特徴とする請求項１に記載のトレッドミル用マッサージ滑り止め板の成形方法。
【請求項４】
前記プレートには複数のテーパー支柱が設けられ、前記テーパー支柱の中心部には貫通するように注入孔が形成され、これら注入孔から耐摩耗材料が前記空洞内に注入され、前記耐摩耗材料により前記テーパー支柱が被覆されることによりマッサージ凸状体が中空となることを特徴とする請求項１に記載のトレッドミル用マッサージ滑り止め板の成形方法。
【請求項５】
前記マッサージ滑り止め板のマッサージ凸状体は、金型底部の異なる形状の空洞に基づいて対応する形状の立体パターンとして成形されることを特徴とする請求項１に記載のトレッドミル用マッサージ滑り止め板の成形方法。
【請求項６】
底部に複数の空洞が設けられ、これら空洞により滑り止め板のマッサージ凸状体が成型される金型と、
前記金型底部の空洞内に注入され、耐摩耗層のマッサージ凸状体とする耐摩耗材料と、
前記金型底部の複数の空洞上方に貼付されるプレートとを備え、
前記金型底部の複数の空洞内の耐摩耗材料が前記プレートの表面に結合され、前記耐摩耗層が設けられ、プレートの表面に耐摩耗層のマッサージ凸状体を有するマッサージ滑り止め板が設けられることを特徴とするトレッドミル用マッサージ滑り止め板の成形装置。
【請求項７】
前記プレートには複数の注入孔が更に設けられ、これら注入孔の位置は前記金型底部のこれら空洞に対応させ、前記耐摩耗材料がこれら注入孔から前記空洞内に注入されることにより前記プレートに複数のマッサージ凸状体が設けられることを特徴とする請求項６に記載のトレッドミル用マッサージ滑り止め板の成形装置。
【請求項８】
前記プレートには複数のテーパー支柱が更に設けられ、前記テーパー支柱の中心部には貫通するように注入孔が設けられ、これら注入孔から耐摩耗材料が前記空洞内に注入され、前記耐摩耗材料により前記テーパー支柱が被覆されることを特徴とする請求項６に記載のトレッドミル用マッサージ滑り止め板の成形装置。
【請求項９】
前記マッサージ滑り止め板のマッサージ凸状体は、金型底部の異なる形状の空洞に基づいて対応する形状の立体パターンとして設けられることを特徴とする請求項６に記載のトレッドミル用マッサージ滑り止め板の成形装置。
【発明の詳細な説明】
【技術分野】
【０００１】
本発明は、スポーツ用品の技術分野に関し、より詳しくは、製造コストが低下し、技術的柔軟性が高まるトレッドミル用マッサージ滑り止め板の成形方法及びその成形装置に関する。
【背景技術】
【０００２】
従来のトレッドミルのベルト下方には滑り止め板及び踏み板構造が順に設置されている。前記滑り止め板の製造では、まず一束或いは一巻の滑り止めベルトが縫製または石油化学材料により製造される。前述の滑り止めベルトは踏み板のサイズに合わせて裁断されて滑り止め板構造が形成される。滑り止めベルトはデザインの違いがあり、例えば、平面状、弧形状、またはマッサージ顆粒を有し、滑り止め板が踏み板上に装設された後にベルトが滑り止め板上方に設置される等である。顆粒を有する滑り止め板はランニング時に前記ベルトが滑り止め板上で運転され、ランナーが足裏で前記滑り止め板のマッサージ顆粒を踏むとベルトが進行する。また、前記滑り止め板のマッサージ顆粒によりランナーの足裏に対するマッサージ効果も発生する。
【発明の開示】
【発明が解決しようとする課題】
【０００３】
しかしながら、前述した従来の技術の製造方式の欠点は以下のとおりである。
【０００４】
（１）マッサージ凸状体の製造方式の歩留まりが低い。従来の滑り止め板にマッサージ機能を有する滑り止め板を設置させる場合、滑り止め板の剪断後に加工機械内に送り入れて加圧することにより前記滑り止め板に足をマッサージするための複数のマッサージ凸状体が形成される。但し、上述の構造の製造では、製造過程において、滑り止め板全体が耐摩耗材料により成形される場合、前記滑り止め板の表面にマッサージ凸状体がプレス加工される際に滑り止め板が破裂することがある。
【０００５】
（２）コストの浪費である。製造メーカーは相当多くの滑り止めベルトを注文するが、これら滑り止めベルトは全て耐摩耗材料で製造されるためコストが高く、且つ、全体では相当広い空間を占拠してしまう。また、滑り止めベルトを死蔵すれば、製造メーカーの資金繰りが悪化する。
【０００６】
そこで、本発明者は上記の欠点が改善可能と考え、鋭意検討を重ねた結果、合理的設計で上記の課題を効果的に改善する本発明の提案に到った。
【０００７】
本発明はこうした状況に鑑みてなされたものであり、その目的は、トレッドミル用マッサージ滑り止め板の成形方法及びその成形装置を提供し、主に、金型によりプレートの表面に耐摩耗材料で成形される耐摩耗性凸状体が製造され、且つ、前記金型により要求されるマッサージ凸状体に対応するように異なる深さ及び形状の空洞が製造される。
【課題を解決するための手段】
【０００８】
上記課題を解決するために、本発明のトレッドミル用マッサージ滑り止め板の成形方法は、複数の空洞が設けられる金型が設置され、耐摩耗材料が前記金型の空洞内に注入される工程１と、プレートが前記金型中に設置され、前記耐摩耗材料が前記プレートの表面に結合され、複数の耐摩耗性顆粒が形成される工程２と、前記プレートが前記金型から脱型され、前記プレートの表面にマッサージ凸状体を有するマッサージ滑り止め板構造が形成される工程３とを含む。例えば、金型内にまずマッサージ凸状体を有する耐摩耗層が形成され、次いで、プレートが金型に設置されて前記耐摩耗層に結合され、結合後に前記プレートの表面に立体マッサージ凸状体が形成される。
【０００９】
ある実施形態では、工程２の後に加硫定型処理が施され、耐滑層が高い強度、高い弾性、高い耐摩耗性、防腐性の構造的性質を有する。
【００１０】
ある実施形態では、工程２の後に自然に冷却されて定型される。
【００１１】
ある実施形態では、前記プレートには複数の注入孔が設けられ、これら注入孔の位置は前記金型のこれら空洞に対応させ、前記耐摩耗材料がこれら注入孔から空洞内に注入され、これら空洞内に形成されるマッサージ凸状体と前記プレートとが直接結合されて一体となる。
【００１２】
ある実施形態では、前記プレートには複数のテーパー支柱が設けられ、前記テーパー支柱の中心部には貫通するように注入孔が形成され、これら注入孔から耐摩耗材料が前記空洞内に注入され、前記耐摩耗材料により前記テーパー支柱が被覆される。成形されるマッサージ凸状体の強度が向上し、耐摩耗材料の使用量が減少し、コストが低下する。
【００１３】
ある実施形態では、前記マッサージ滑り止め板のマッサージ凸状体は、金型底部に設けられる異なる形状の空洞に基づいて対応する形状の立体パターンとして成形される。
【００１４】
また、本発明はトレッドミル用マッサージ滑り止め板をさらに含み、その主要構造として、底部に複数の空洞が設けられる金型と、前記金型底部の空洞内に注入される耐摩耗材料と、前記金型底部の複数の空洞上方に貼付されるプレートとを備える。
【００１５】
これにより、前記金型底部の複数の空洞内の耐摩耗材料が前記プレートの表面に結合されて耐摩耗層が形成され、プレートの表面に耐摩耗層のマッサージ凸状体を有するマッサージ滑り止め板が形成される。
【発明の効果】
【００１６】
本発明の長所は以下のとおりである。
【００１７】
（１）マッサージ滑り止め板の製造工程が技術的に簡略化される。本発明の製造フローチャートに従えば、大量生産する必要がなく、マッサージ滑り止め板の成形製造が適時可能になり、高い柔軟性を有する。
【００１８】
（２）マッサージ凸状体のパターン規格を容易に変更可能である。本発明のマッサージ凸状体は金型で成形されるため、マッサージ凸状体のサイズを取得し、事前に準備された金型を適時選択して交換するのみで異なる規格及びパターンのマッサージ凸状体を有するマッサージ滑り止め板の製造が可能となる。
【００１９】
（３）コストの節約が可能である。前記耐摩耗材料として選択される材質の好ましい原料は滑り止め材料が空洞中に注入されるのみであり、従来の構造の滑り止めベルトとして選択されるコストの高い材質の原料と比較すると、本発明はコストを節約できるという長所を有する。
【図面の簡単な説明】
【００２０】
【図１】本発明の好ましい実施形態１のトレッドミル用マッサージ滑り止め板の成形方法を示すブロック図である。
【図２】本発明の好ましい実施形態１のトレッドミル用マッサージ滑り止め板の成形方法の工程１を示す概略図である。
【図３】本発明の好ましい実施形態１のトレッドミル用マッサージ滑り止め板の成形方法の工程２を示す概略図である。
【図４】本発明の好ましい実施形態１のトレッドミル用マッサージ滑り止め板の成形方法の工程３を示す概略図である。
【図５】本発明の好ましい実施形態２のトレッドミル用マッサージ滑り止め板の成形方法に係るプレートに注入孔が設置される概略図である。
【図６】本発明の好ましい実施形態３のトレッドミル用マッサージ滑り止め板の成形方法に係るプレートにテーパー支柱が設置される概略図である。
【発明を実施するための形態】
【００２１】
以下に、本発明実施形態１に係るトレッドミル用マッサージ滑り止め板１００の成形方法（以下、単に成形方法という。）及びその製品の実施の形態について図面を参照して詳細に説明する。なお、各実施の形態により本発明が限定されるものではない。
【００２２】
図１〜４を参照しながら、本発明実施形態をさらに詳しく説明する。本発明のトレッドミル用マッサージ滑り止め板１００の成形方法については、以下の工程を含む。
【００２３】
この成形方法は、複数の空洞２１が設けられる金型２が設置され、耐摩耗材料１が前記金型２の空洞２１内に注入される工程１（ステップＳ１）を備える。
【００２４】
この成形方法は、プレート３が前記金型２中に設置され、前記耐摩耗材料１が前記プレート３の表面に結合され、複数のマッサージ凸状体３１が形成される工程２（ステップＳ２）を備える。
【００２５】
この成形方法は、前記プレート３が前記金型２から脱型され、前記プレート３の表面にマッサージ凸状体３１を有する滑り止め板１００の構造が形成される工程３（ステップＳ３）を備える。
【００２６】
上述の製造方式に係る成形方法によって製造されるプレート３には複数のマッサージ凸状体３１が設けられ、これらマッサージ凸状体３１が足裏に対してマッサージを行う。また、マッサージ凸状体３１は金型２の空洞２１により形成され、且つプレート３に直接結合されるためコストが抑えられ、製造の柔軟性も高まる。
【００２７】
ある実施形態では、工程２Ｓ２の後に加硫定型の硫化処理が施される。前記滑り止め板１００は主に石油化学原料で製造されるため、ゴム等の材質に似た特性を有する。工程２（ステップＳ２）の後に前記プレート３及び複数のマッサージ凸状体３１が結合された後、加硫定型の硫化処理が施され、耐滑層が高い強度、高い弾性、高い耐摩耗性、防腐性の構造的性質を獲得する。
【００２８】
ある実施形態では、工程２Ｓ２（ステップＳ２）の後に自然に冷却されて定型される。
【００２９】
図５は他の方式である本発明実施形態２に係るのプレート３にマッサージ凸状体３１が形成される工程を図示する。主に前記プレート３に複数の注入孔３２が設けられ、これら注入孔３２の位置を前記金型２の空洞２１に対応させることにより、前記プレート３が前記金型２中に設置され、耐摩耗材料１が前記注入孔３２から前記空洞２１内に注入され、注入孔３２にも注入され、前記プレート３に複数のマッサージ凸状体３１の構造が形成され、滑り止め板２００が成形される。なお、実施形態１と共通する構成の図示及び説明は援用する。
【００３０】
図６はさらに異なる方式である本発明実施形態３に係るマッサージ効果が強化される構造が更に提供される工程を図示する。前記プレート３に複数のテーパー支柱３３が設けられ、前記テーパー支柱３３の中心部には貫通する注入孔３２が形成され、これら貫通する注入孔３２から耐摩耗材料１が前記金型２の空洞２１内に注入され、前記耐摩耗材料１により前記テーパー支柱３３が被覆されてマッサージ凸状体３１が形成され、滑り止め板２００が成形される。これにより、耐摩耗材料１の使用量を減少させて、注入孔３２内に中空が形成されることにより、マッサージ凸状体３１の内部に中空に形成され、高価な耐摩耗材料１の使用量が減少し、製造コストが低下する。
【００３１】
さらに、前記マッサージ滑り止め板のマッサージ凸状体３１は、金型２の底部に設けられる異なる形状の空洞２１に対応させる形状の立体パターンが成形される。なお、実施形態１と共通する構成の図示及び説明は援用する。
【００３２】
トレッドミル用マッサージ滑り止め板１００の成形装置は、主に以下の部材を備える。
【００３３】
すなわち、該成形装置は、底部に複数の空洞２１が設けられ、これら空洞２１により滑り止め板のマッサージ凸状体３１が成型される金型２と、
前記金型２の底部の空洞３１内に注入され、耐摩耗層のマッサージ凸状体３１とする耐摩耗材料１と、
前記金型２の底部の複数の空洞３１の上方に貼付されるプレート３とを備え、
前記金型２の底部の複数の空洞３１内の耐摩耗材料１が前記プレート３の表面に結合され、前記耐摩耗層が設けられ、プレート３の表面に耐摩耗層のマッサージ凸状体３１を有するマッサージ滑り止め板１００が設けられることを特徴とする。
【００３４】
トレッドミル用マッサージ滑り止め板２００の成形装置は、主に以下の部材を備える。
【００３５】
すなわち、前記プレート３には複数の注入孔３２が更に設けられ、これら注入孔３２の位置は前記金型２の底部のこれら空洞３１に対応させ、前記耐摩耗材料１がこれら注入孔３２から前記空洞３１内に注入されることにより前記プレート３に複数のマッサージ凸状体３１が設けられることを特徴とする。
【００３６】
トレッドミル用マッサージ滑り止め板３００の成形装置は、主に以下の部材を備える。
【００３７】
すなわち、前記プレート３には複数のテーパー支柱３３が更に設けられ、前記テーパー支柱３３の中心部には貫通する注入孔３２が設けられ、これら注入孔３２から耐摩耗材料１が前記空洞３１内に注入され、前記耐摩耗材料１により前記テーパー支柱３３が被覆されることを特徴とする。
【００３８】
前記マッサージ凸状体３１は、金型２の底部の異なる形状の空洞２１に基づいて対応する形状の立体パターンとして設けられることを特徴とする。
【００３９】
これにより、前記金型２の底部の複数の空洞２１内の耐摩耗材料１が前記プレート３の表面に結合され、耐摩耗層が形成される。プレート３の表面に耐摩耗層のマッサージ凸状体３１を有するマッサージ滑り止め板１００、２００、３００が形成される。
【００４０】
実施形態１〜３の効果は次の通りである。（１）マッサージ滑り止め板１００、２００、３００の製造工程が技術的に簡略化される。本発明実施形態の成形方法の製造フローチャートに従えば、大量生産する必要がなく、マッサージ滑り止め板１００、２００、３００の成形製造が適時可能になり、高い柔軟性を有する。
【００４１】
（２）マッサージ凸状体３１のパターン規格を容易に変更可能である。本発明実施形態のマッサージ凸状体３１は金型２で成形されるため、マッサージ凸状体３１のサイズを取得し、事前に準備された金型を適時選択して交換するのみで異なる規格及びパターンのマッサージ凸状体３１を有するマッサージ滑り止め板１００、２００、３００の製造が可能となる。
【００４２】
（３）マッサージ滑り止め板１００、２００、３００の製造コストの節約が可能である。前記耐摩耗材料１として選択される材質の好ましい原料は滑り止め材料が空洞２１中に注入されるのみであり、従来の構造の滑り止めベルトとして選択されるコストの高い材質の原料と比較すると、本発明実施形態はコストを節約できるという長所を有する。
【００４３】
以上を総合すると、本発明実施形態１〜３のッサージ滑り止め板１００、２００、３００の成形方法及び成形装置により、金型２によりプレート３の表面にマッサージ凸状体３１を有する滑り止め板１００、２００、３００が形成され、好ましいマッサージ効果を有する。マッサージ滑り止め板１００、２００、３００の製造コストが低下し、且つ技術的柔軟性が高まり、製造量の制限を受けなくなる。また、構造の構成及び製造方法は刊行も公開されたことがないものであり、特許要件に符合する。
【００４４】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００４５】
１…耐摩耗材料  ２…金型  ２１…空洞  ３…プレート  ３１…マッサージ凸状体  ３２…注入孔  ３３…テーパー支柱  Ｓ１…工程１  Ｓ２…工程２  Ｓ３…工程３
【図１】
2018175874.tif 000003
【図２】
2018175874.tif 000004
【図３】
2018175874.tif 000005
【図４】
2018175874.tif 000006
【図５】
2018175874.tif 000007
【図６】
2018175874.tif 000008